(57)【要約】【課題】  カメラ本体に撮像素子ユニットを着脱でき、かつ、カメラ本体と撮像素子ユニットとを適正に位置決めできるカメラシステムを提供する。【解決手段】  本発明に係るカメラシステム１０は、撮像レンズ３９を備えたカメラ本体１１とカメラ本体１１に着脱可能な固体撮像素子２３が設けられた撮像素子ユニット２１を有し、カメラ本体１１に撮像素子ユニット２１を装着した状態で、該カメラ本体１１に設けられた基準板３１，３２，３４，３６，３７に撮像素子ユニット２１の当接部が当接し、固体撮像素子２３の撮像面２３ａが撮像レンズ３９の焦点位置Ｆに一致する。【選択図】  図２
2007053490.tif 000002
【特許請求の範囲】
【請求項１】
撮像レンズを備えたカメラ本体に着脱可能な撮像素子ユニットであって、
基板と、
前記基板に固定された固体撮像素子と、
前記基板に形成され、前記カメラ本体に装着した状態で、該カメラ本体に設けられた基準板に当接する当接部と、を有し、
前記当接部を前記基準板に当接させた状態で、前記固体撮像素子の撮像面が前記撮像レンズの焦点位置に一致することを特徴とする撮像素子ユニット。
【請求項２】
前記当接部が、前記基準板の、前記撮像レンズの光軸方向に対して垂直に形成された第１基準面に当接される第１当接部と、前記撮像面に垂直に形成された第２基準面に当接される第２当接部と、前記撮像面に垂直で且つ前記第２基準面に垂直に形成された第３基準面に当接する第３当接部とを有していることを特徴とする請求項１に記載の撮像素子ユニット。
【請求項３】
前記当接部が前記基板に形成された突起部であることを特徴とする請求項１又は２に記載の撮像素子ユニット。
【請求項４】
固体撮像素子を備えた撮像素子ユニットを着脱可能なカメラ本体であって、
本体ケースと、
前記本体ケースに取り付けられた撮像レンズと、
前記本体ケースに形成され、前記撮像素子ユニットを装着させる装着部と、を有し、
前記装着部には、前記撮像素子ユニットを装着させた状態で、前記撮像レンズの焦点位置に前記固体撮像素子の撮像面が一致する位置となるように前記撮像素子ユニットの位置を規制する基準板が設けられていることを特徴とするカメラ本体。
【請求項５】
前記基準板が、前記撮像素子ユニットが装着された状態で、前記撮像レンズの光軸方向に垂直な第１基準面と、前記撮像面に垂直に形成された第２基準面と、前記撮像面に垂直で且つ前記第２基準面に垂直に形成された第３基準面とを有し、前記第１基準面と前記第２基準面と前記３基準面によって前記撮像面の位置が規制される構成であることを特徴とする請求項４に記載のカメラ本体。
【請求項６】
前記撮像素子ユニットを前記装着部に装着させた状態で、前記撮像素子ユニットを前記基準板に押し当てる押し当て機構が設けられていることを特徴とする請求項４又は５に記載のカメラ本体。
【請求項７】
前記押し当て機構が、前記撮像素子ユニットを前記第１基準面と前記第２基準面と前記第３基準面とのうち少なくとも１つに付勢する付勢部材であることを特徴とする請求項４から６のいずれか１つに記載のカメラ本体。
【請求項８】
前記撮像素子ユニットを前記カメラ本体に装着した状態で、前記撮像素子ユニットを前記カメラ本体の外部から視認できるように露呈させるための窓部が設けられていることを特徴とする請求項４から７のいずれか１つに記載のカメラ本体。
【請求項９】
上記請求項１から３のいずれか１つに記載の撮像素子ユニットと、上記請求項４から８のいずれか１つに記載のカメラ本体とを有するカメラシステム。
【発明の詳細な説明】
【技術分野】
【０００１】
本発明は、光学レンズ系を備えたカメラ本体と、固体撮像素子を備え、カメラ本体に着脱可能な撮像素子ユニットを有するカメラシステムに関し、特にカメラ本体と撮像素子ユニットとの位置決めに関するものである。
【背景技術】
【０００２】
従来、CCDセンサやCMOSセンサといった固体撮像素子を搭載したデジタルカメラや監視用カメラ等のカメラシステムが普及している。また、撮影目的、固体撮像素子の性能向上に応じてカメラシステムの固体撮像素子を交換できるようにするため、光学レンズ系を備えたカメラ本体と、該カメラ本体に対して着脱可能であり、固体撮像素子を備えた撮像素子ユニットを有するカメラシステムが提案されている。
【発明の開示】
【発明が解決しようとする課題】
【０００３】
しかし、一般に固体撮像素子を内蔵したデジタルカメラにおいて、撮像レンズの射出瞳距離と固体撮像素子のマイクロレンズずらし量を一致させるように撮像レンズと固体撮像素子を設計しないとシェーディング発生の原因となることがある。また、偽色を防止するためには固体撮像素子のピッチに合わせて光学ローパスフィルタの特性を設計する必要があり、固体撮像素子の位置は撮像レンズの位置に対して制約を受ける。
【０００４】
そして、撮像素子ユニットを着脱可能なカメラシステムでは、カメラ本体に撮像素子ユニットを装着させる際に、カメラ本体の撮像レンズの焦点位置が、撮像素子ユニットの固体撮像素子の撮像面に一致するように、カメラ本体に対して撮像素子ユニットを位置決めすることが課題となっていた。
【０００５】
本発明は、上記事情に鑑みてなされたもので、その目的は、カメラ本体に撮像素子ユニットを着脱でき、かつ、カメラ本体と撮像素子ユニットとを適正に位置決めできるカメラシステムを提供することにある。
【課題を解決するための手段】
【０００６】
本発明の上記目的は、撮像レンズを備えたカメラ本体に着脱可能な撮像素子ユニットであって、基板と、前記基板に固定された固体撮像素子と、前記基板に形成され、前記カメラ本体に装着した状態で、該カメラ本体に設けられた基準板に当接する当接部と、を有し、前記当接部を前記基準板に当接させた状態で、前記固体撮像素子の撮像面が前記撮像レンズの焦点位置に一致することを特徴とする撮像素子ユニットによって達成される。
【０００７】
本発明に係る撮像素子ユニットは、該撮像素子ユニットをカメラ本体に装着した場合に、撮像素子ユニットに形成された当接部がカメラ本体の基準板に当接することにより、撮像素子ユニットの撮像面と撮像レンズの焦点位置とが一致した状態で維持される。すると、撮影時に、撮像レンズの焦点位置と撮像素子ユニットの撮像面との相対位置とを、常に、適正に位置決めできる。このため、本発明に係る撮像素子ユニットは、カメラ本体に予め所定の設計により装着される構成である従来のカメラシステムの固体撮像素子と同様に、シェーディングや偽色が発生することを防止できる。
また、本発明に係る撮像素子ユニットを用いれば固体撮像素子の特性に合わせて撮像レンズを選ぶことなく、所望の撮像レンズに対し、用途に応じて撮像素子ユニットを交換することができる。
【０００８】
上記撮像素子ユニットは、前記当接部が、前記基準板の、前記撮像レンズの光軸方向に対して垂直に形成された第１基準面に当接される第１当接部と、前記撮像面に垂直に形成された第２基準面に当接される第２当接部と、前記撮像面に垂直で且つ前記第２基準面に垂直に形成された第３基準面に当接する第３当接部とを有していることが好ましい。ここで、第１基準面に対して垂直な軸方向をｚ軸方向、第２基準面に対して垂直な軸方向をｘ軸方向、第３基準面に対して垂直な軸方向をｙ軸方向と定義すると、第１基準面、第２基準面、第３基準面に、第１当接部、第２当接部、第３当接部をそれぞれ当接させることで、撮像素子ユニットのｘ軸、ｙ軸、ｚ軸に規定される３次元方向の位置決めを行うことができる。
【０００９】
上記撮像素子ユニットは、当接部が基板に形成された突起部であることが好ましい。こうすれば、撮像素子ユニットをカメラ本体に装着した場合に、基板の突起部がカメラ本体の基準面に当接することにより、撮像素子ユニットの撮像面と撮像レンズの焦点位置とを一致させた状態で維持することができる。このとき、突起部を所定の寸法で形成されることで、突起部とカメラ本体の基準板と当接する位置を適正な位置となるように予め位置決めすることができる。
【００１０】
また、本発明の上記目的は、固体撮像素子を備えた撮像素子ユニットを着脱可能なカメラ本体であって、本体ケースと、前記本体ケースに取り付けられた撮像レンズと、前記本体ケースに形成され、前記撮像素子ユニットを装着させる装着部と、を有し、前記装着部には、前記撮像素子ユニットを装着させた状態で、前記撮像レンズの焦点位置に前記固体撮像素子の撮像面が一致する位置となるように前記撮像素子ユニットの位置を規制する基準板が設けられていることを特徴とするカメラ本体によって達成される。
【００１１】
本発明に係るカメラ本体は、撮像素子ユニットを前記カメラ本体に装着した場合に、カメラ本体に設けられた基準板が撮像素子ユニットの当接部の位置を規制することによりに、カメラ本体の撮像レンズの焦点位置と撮像素子ユニットの撮像面とを一致した状態で維持できる。すると、撮影時に、撮像レンズの焦点位置と撮像素子ユニットの撮像面との相対位置とを、常に、適正に位置決めできる。このため、本発明に係るカメラ本体は、カメラ本体に予め所定の設計により装着される構成である従来のカメラスステムの固体撮像素子と同様に、シェーディングの発生及び偽色を防止できる。
【００１２】
上記カメラ本体は、前記基準板が、前記撮像素子ユニットが装着された状態で、前記撮像レンズの光軸方向に垂直な第１基準面と、前記撮像面に垂直に形成された第２基準面と、前記撮像面に垂直で且つ前記第２基準面に垂直に形成された第３基準面とを有し、前記第１基準面と前記第２基準面と前記第３基準面によって前記撮像面の位置が規制される構成であることが好ましい。ここで、第１基準面に対して垂直な軸方向をｚ軸方向、第２基準面に対して垂直な軸方向をｘ軸方向、第３基準面に対して垂直な軸方向をｙ軸方向と定義すると、第１基準面、第２基準面、第３基準面のそれぞれに撮像素子ユニットの当接部と当接させることで、撮像素子ユニットの撮像面のｘ軸、ｙ軸、ｚ軸に規定される３次元方向の位置決めを行うことができる。
【００１３】
上記カメラ本体は、撮像素子ユニットを装着部に装着させた状態で、撮像素子ユニットを基準板に押し当てる押し当て機構が設けられていることが好ましい。こうすれば、撮像素子ユニットが押し当て機構によって基準板側に押し当てられると、撮像素子ユニットの当接部が前記基準板に押し当たるため、撮像素子ユニットをカメラ本体に装着している間は、当接部が基準板に当接する状態が維持される。こうして、撮像素子ユニットの撮像面とカメラ本体の焦点位置とが適正な相対位置となるように維持することができる。
【００１４】
上記カメラ本体は、押し当て機構が、撮像素子ユニットを第１基準面と第２基準面と第３基準面とのうち少なくとも１つに付勢する付勢部材であることが好ましい。撮像素子ユニットが付勢部材に付勢される状態では、撮像素子ユニットの当接部が少なくとも１つの基準面に付勢され、撮像素子ユニットをカメラ本体に装着している間は、付勢部材の付勢する力によって当接部が基準板に当接する状態が維持される。
【００１５】
上記カメラ本体は、撮像素子ユニットをカメラ本体に装着した状態で、撮像素子ユニットをカメラ本体の外部から視認できるように露呈させるための窓部が設けられていることが好ましい。これにより、ユーザは窓部を通して撮像素子ユニットの有無を視認することができ、カメラ本体を開く手間がかからない。
【００１６】
さらに、本発明の上記目的は、上記撮像素子ユニットと、上記カメラ本体とを有しているカメラシステムによって達成される。撮像素子ユニットをカメラ本体に装着させた場合に、撮像素子ユニットに形成された当接部はカメラ本体に設けられた基準板に当接するので、撮像素子ユニットの撮像面と撮像レンズの焦点位置とが一致した状態となる。すると、撮影時に、撮像素子ユニットの撮像面と撮像レンズの焦点位置との相対位置とを、常に、適正に位置決めできる。このため、本発明に係る撮像素子ユニットは、カメラ本体に予め所定の寸法で装着される固体撮像素子を有する従来のカメラシステムと同様に、シェーディングや偽色が発生することを防止できる。
【発明の効果】
【００１７】
本発明によれば、カメラ本体に撮像素子ユニットを着脱でき、かつ、カメラ本体と撮像素子ユニットとを適正に位置決めできるカメラシステムを提供できる。
【発明を実施するための最良の形態】
【００１８】
以下、本発明の実施形態を図面に基づいて詳しく説明する。
図１は、本発明に係るカメラシステムを示す全体斜視図である。図２は、カメラ本体に撮像素子ユニットを装着した状態を模式的に示す、水平方向の断面図である。
カメラシステム１０は、カメラ本体１１と、このカメラ本体１１に着脱可能な撮像素子ユニット２１を備えている。
【００１９】
カメラ本体１１は、略長方対形状の本体ケース１７を有している。
本体ケース１７には、撮影する被写体に応じてユーザの任意で交換することができるレンズ鏡筒部１３が取り付けられている。レンズ鏡筒部１３の内部には、撮像レンズ３９が固定されている。撮像レンズ３９は、被写体から撮像光の光束を集め、光束を一点に集中してなる焦点を形成する。また、本体ケース１７には、撮影時に、ユーザにより手指で操作されるシャッタボタン等の操作部１２が設けられている。
【００２０】
本体ケース１７には、撮像素子ユニット２１を装着させる際に、該撮像素子ユニット２１を本体ケース１７の内部に挿入するための挿入口１４が形成されている。また、本体ケース１７には、挿入口１４を遮蔽する蓋部１５が、ヒンジ部１６によって開閉自在に取り付けられている。蓋部１５の内側の面には、該蓋部１５を閉じた状態で、基板２２の端面の一部に当接し、撮像素子ユニット２１の挿入する方向（図１のｘ方向）に付勢する付勢部材３８が設けられている。
【００２１】
撮像素子ユニット２１は、略長方体形状の板部材である基板２２と、この基板２２に固定された固体撮像素子２３と、固体撮像素子２３を駆動制御する駆動回路に図示しない配線によって電気的に接続されたユニット側電極端子２４とを備えている。
【００２２】
本発明において、固体撮像素子２３は、例えば、ＣＣＤ又はＣＭＯＳなどを使用することができる。固体撮像素子２３は、基板２２の一方の面に形成された凹部２２ａの底面に、撮像光を受光するための撮像面２３ａ側が撮像素子ユニット２１の外側に露呈するように接着剤等によって固定されている。基板２２には、凹部２２ａの底面に固定された固体撮像素子２３に塵埃等の異物が付着することを防止するため、凹部２２ａを遮蔽するように透明なシールガラス２０が設けられており、凹部２２ａの内部に固体撮像素子２３を密閉している。
【００２３】
図２に示すように、カメラ本体１１には、撮像素子ユニット２１を収容するとともに、カメラ本体１１内部において保持するための装着部３０が設けられている。カメラ本体１１に撮像素子ユニット２１を装着する際には、撮像素子ユニット２１が、固体撮像素子２３の撮像面２３ａをカメラ本体１１の内部でレンズ鏡筒部１３側に向けた状態で装着部３０に挿入される。また、撮像素子ユニット２１をカメラ本体１１に装着した状態で、基板２２のユニット側電極端子２４が、カメラ本体１１の内部に形成された本体側電極端子１８に接触することにより電気的に接続される。
【００２４】
カメラ本体１１には、本体ケース１７においてレンズ鏡筒部１３の反対側の背板部にＬＣＤ等の表示部１９が形成されている。
【００２５】
撮像素子ユニット２１は、その基板２１に固定された固体撮像素子２３の撮像面２３ａが撮像レンズ３９の光軸に対して垂直に交わる位置となるように、カメラ本体１１の装着部３０に維持される。このとき、撮像素子ユニット２１は、固体撮像素子２３の撮像面２３ａが、撮像レンズ３９の焦点位置Ｆに一致する位置となるように、位置決めされた状態で維持されている。
【００２６】
次に、カメラ本体１１に対して撮像素子ユニット２１を位置決めする構成について説明する。図３は、カメラ本体１１に装着された撮像素子ユニット２１を、撮像レンズ３９側から見た状態を示す図である。
カメラ本体１１の装着部３０には、装着された撮像素子ユニット２１に当接し、撮像レンズ３９と固体撮像素子２３の撮像面２３ａとの相対位置を位置決めする基準板３１，３２，３４，３６，３７が設けられている。
【００２７】
基準板３１，３２，３４，３６，３７は、撮像素子ユニット２１が装着された状態で、撮像レンズ３９の光軸方向に垂直な第１基準面と、撮像面２３ａに垂直に形成された第２基準面と、撮像面２３ａに垂直で且つ第２基準面に垂直に形成された第３基準面とを有している。
【００２８】
本実施形態において、第１基準面は、撮像レンズ３９と固体撮像素子２３の撮像面２３ａとが対向する方向（図２中の矢印ｚ方向）に撮像素子ユニット２１の基板２２と当接する基準板３２，３４の板側当接面３２ａ，３４ａをいう。
また、第２基準面は、装着部３０に撮像素子ユニット２１を挿入する方向（図３中の矢印ｘ方向）に撮像素子ユニット２１の基板２２と当接する基準板３１、３６の板側当接面３１ａ、３６ａをいう。
さらに、第３基準面は、第１基準面と第２基準面に対して垂直な方向（図３中の矢印ｙ方向）に撮像素子ユニット２１の基板２２と当接する基準板３７の板側当接面３７ａをいう。
ここで、基準板３７の板側当接面３７ａを第２基準面とし、基準板３１，３６の板側当接面３１ａ，３６ａを第３基準面としてもよい。
【００２９】
撮像素子ユニット２１には、撮像レンズ３９と撮像面２３ａとの相対位置を位置決めするため、基準板の基準面と当接する当接部が設けられている。
【００３０】
当接部は、カメラ本体１１の第１基準面に当接する第１当接部と、第２基準面に当接する第２当接部と、第３基準面に当接する第３当接部とを有している。
【００３１】
本実施形態において、第１当接部は、撮像レンズ３９と固体撮像素子２３の撮像面２３ａとが対向する方向（図２中の矢印ｚ方向）に設けられている第１基準面３２ａ、３４ａと当接する基板２２の当接部２７、２８をいう。
また、第２当接部は、装着部３０に撮像素子ユニット２１を挿入する方向（図３中の矢印ｘ方向）に第２基準面３１ａ、３６ａと当接する基板２２の当接部２５、２６をいう。
さらに、第３当接部は、第１当接部と第２当接部に対して垂直な方向（図３中の矢印ｙ方向）に第３基準面３７ａと当接する基板２２の当接部２９をいう。
【００３２】
本実施形態において、カメラ本体１１の基準板３１，３２，３４，３６，３７に対して、撮像素子ユニット２１の基板２２の当接部は、基板２２上の平面とした。しかし、当接部は、基板２２に形成された突起部であってもよい。当接部を突起部とすれば、撮像素子ユニット２１をカメラ本体１１に装着した場合に、基板２２の突起部がカメラ本体１１の基準板３１，３２，３４，３６，３７に当接することにより、撮像素子ユニット２１の撮像面２３ａと撮像レンズ３９の焦点位置Ｆとを一致させた状態で維持することができる。このとき、突起部を所定の寸法で形成されることで、突起部とカメラ本体１１の基準板３１，３２，３４，３６，３７と当接する位置を適正な位置となるように予め位置決めすることができる。このとき、図３に示すように、焦点位置Ｆが、撮像面２３ａの中央に位置することが好ましい。
【００３３】
次に、撮像レンズ３９の焦点位置と撮像素子ユニット１１の撮像面２３ａが一致するように位置決めされた、基準面と当接部の相対位置を維持する構成について説明する。
本体ケース１７の内側には付勢部材３３，３５，３８が設けられている。付勢部材３３，３５，３８は、撮像素子ユニット２１を本体ケース１７内部の装着部３０に装着した状態で、撮像素子ユニット２１をカメラ本体２１の基準板３１，３２，３４，３６，３７に向って付勢することで、撮像素子ユニット２１を押し当てる押し当て機構を構成する。押し当て機構そして、カメラ本体１１に装着された撮像素子ユニット２１は、その当接部がカメラ本体１１側の基準板３１，３２，３４，３６，３７に当接された状態が維持される。こうして、撮像素子ユニット２１の撮像面２３ａとカメラ本体１１の焦点位置とが適正な位置となるように維持される。
【００３４】
本実施形態において、付勢部材３３は、第１基準面３２ａ、３４ａに対して第１当接部２７、２８を押し当てて付勢するように、本体ケース１７の内側に設けられている。
付勢部材３８は、第２基準面３１ａ、３６ａに対して第２当接部２５，２６を押し当てて付勢するように、本体ケース１７の内側に設けられている。
付勢部材３５は、第３基準面３７ａに対して第３当接部２９を押し当てて付勢するように本体ケース１７の内側に設けられている。
【００３５】
付勢部材３３，３５，３８としては、バネやゴム等の弾性部材を使用することができる。付勢部材３３，３５，３８は、例えば、伸縮することで、撮像素子ユニット２１に対して進退駆動し、撮像素子ユニット２１を装着した場合には、該撮像素子ユニット２１の基板２２に当接して押し縮められることで弾性反発力によって撮像素子ユニット２１をカメラ本体１１の基準板３１，３２，３４，３６，３７に付勢する構成とすることができる。
【００３６】
また、撮像素子ユニット２１を装着する際に、該撮像素子ユニット２１と付勢部材３３，３５，３８とが互いに干渉しないようにするため、付勢部材３３，３５，３８が退避位置に移動し、また、装着時には、撮像素子ユニット２１の装着動作に連動して、付勢部材３３，３５，３８それぞれが図３中矢印で示す方向に移動し、撮像素子ユニット２１と当接する構成としてもよい。
【００３７】
押し当て機構が、撮像素子ユニット２１を第１基準面３２ａ、３４ａと前記第２基準面３１ａ、３６ａと前記第３基準面３７ａとのうち少なくとも１つに付勢する付勢部材３３，３５，３８であることが好ましい。撮像素子ユニット２１が付勢部材３３，３５，３８に付勢される状態では、撮像素子ユニット２１の当接部が少なくとも１つの基準面３１ａ，３２ａ，３４ａ，３６ａ，３７ａに付勢され、撮像素子ユニット２１をカメラ本体１１に装着している間は、付勢部材３３，３５，３８の付勢する力によって当接部が基準板３１，３２，３４，３６，３７に当接する状態が維持される。
【００３８】
本発明に係る撮像素子ユニット２１は、該撮像素子ユニット２１をカメラ本体１１に装着した場合に、撮像素子ユニット２１に形成された当接部がカメラ本体１１の基準板３１，３２，３４，３６，３７に当接することにより、撮像素子ユニット２１の撮像面２３ａと撮像レンズ３９の焦点位置Ｆとが一致した状態で維持される。すると、撮影時に、撮像レンズ３９の焦点位置Ｆと撮像素子ユニット２１の撮像面２３ａとの相対位置とを、常に、適正に位置決めできる。このため、本発明に係る撮像素子ユニット２１は、カメラ本体に予め所定の設計により装着される構成である従来のカメラシステムの固体撮像素子と同様に、シェーディングや偽色が発生することを防止できる。
また、本発明に係る撮像素子ユニット２１を用いれば固体撮像素子２３の特性に合わせて撮像レンズ３９を選ぶことなく、所望の撮像レンズに対し、用途に応じて撮像素子ユニット２１を交換することができる。
【００３９】
また、本発明に係るカメラ本体１１は、撮像素子ユニット２１をカメラ本体１１に装着した場合に、カメラ本体１１に設けられた基準板３１，３２，３４，３６，３７が撮像素子ユニット２１の当接部の位置を規制することによりに、カメラ本体１１の撮像レンズ３９の焦点位置Ｆと撮像素子ユニット２１の撮像面２３ａとを一致した状態で維持できる。すると、撮影時に、撮像レンズ３９の焦点位置Ｆと撮像素子ユニット２１の撮像面２３ａとの相対位置とを、常に、適正に位置決めできる。このため、本発明に係るカメラ本体１１は、カメラ本体１１に予め所定の設計により装着される構成である従来のカメラスステムの固体撮像素子と同様に、シェーディングの発生及び偽色を防止できる。
【００４０】
図４は、本体ケースを背面板部側から見たカメラシステムの全体斜視図である。図４に示すように、本体ケース１７の背面板部には、窓部２０が設けられていてもよい。窓部２０は、背面板部の一部を透明な樹脂等で構成することで設けてもよい。カメラ本体１１に撮像素子ユニット２１を装着した状態で、装着部３０に装着された撮像素子ユニット２１の一部が窓部２０を介して本体ケース１７の外部に露呈する。このため、ユーザは窓部２０を通して撮像素子ユニット２１の有無を視認することができ、撮像素子ユニット２１の確認をする際に本体ケース１７の蓋部１５を開く手間がかからない。
【図面の簡単な説明】
【００４１】
【図１】本発明に係るカメラシステムを示す全体斜視図である。
【図２】カメラ本体に撮像素子ユニットを装着した状態を模式的に示す、水平方向の断面図である。
【図３】カメラ本体に装着された撮像素子ユニットを、撮像レンズ側から見た状態を示す図である。
【図４】本体ケースを背面板部側から見たカメラシステムの全体斜視図である。
【符号の説明】
【００４２】
１０        カメラシステム
１１        カメラ本体
１７        本体ケース
２０        窓部
２１        撮像素子ユニット
２３        固体撮像素子
２３ａ      撮像面
３０        装着部
３１，３２，３４，３６，３７    基準板
３３，３５，３８                付勢部材
３９        撮像レンズ
Ｆ          焦点位置
【図１】
2007053490.tif 000003
【図２】
2007053490.tif 000004
【図３】
2007053490.tif 000005
【図４】
2007053490.tif 000006